(57)【特許請求の範囲】
【請求項１】
鉛直の注入井戸に栄養源を注入し、注入された前記栄養源によって微生物を活性化させ、有機塩素系化合物による汚染部およびその拡散域の前記有機塩素系化合物を分解処理する工法を用いた汚染土壌及び地下水の浄化方法であって、前記栄養源は希釈されて前記注入井戸に注入され、希釈されて前記微生物が摂取し易くなった前記栄養源と前記有機塩素系化合物は前記微生物が共代謝することによって分解処理され、前記注入井戸は複数設けられ、複数の前記注入井戸からの前記栄養源の拡散域が汚染土壌及び地下水の領域を広く覆うとともに、前記栄養源の拡散域の臨界領域で、前記栄養源に含まれる炭素濃度が前記微生物の活性促進条件となる濃度内に抑えられるように、複数の前記注入井戸の配置および前記栄養源の希釈度を定め、前記注入井戸が土壌を筒状に掘った穴と、前記穴と隙間を保ちながら前記穴内に挿入設置された注入管から構成され、前記注入管には回りの土壌の浸入を抑えながら、前記注入管内に注入された前記栄養源の拡散を促す拡散孔が形成され、前記穴および前記注入管は透水層に達し、前記注入管に形成する前記拡散孔を、少なくとも前記注入管の下部から、前記栄養源の注入により上昇する前記透水層の上面が達する高さまでの範囲で形成する汚染土壌及び地下水の浄化方法。
【請求項２】
前記栄養源は１００ｐｐｍから５０００ｐｐｍに希釈されている請求項１記載の汚染土壌及び地下水の浄化方法。
【請求項３】
前記栄養源がソルビドールを主成分とする請求項１または２記載の汚染土壌及び地下水の浄化方法。
【請求項４】
前記栄養源の注入方法として、前記栄養源に物理的に圧力を加え、地中に直接注入することを特徴とする請求項１〜３いずれか一項に記載の汚染土壌及び地下水の浄化方法。
【請求項５】
前記栄養源の注入方法として、前記栄養源に加わる重力を利用する請求項１〜３いずれか一項に記載の汚染土壌及び地下水の浄化方法。
【請求項６】
希釈した前記栄養源を貯留する希釈栄養源貯留槽を、前記注入井戸の注入口より高所に設け、その前記希釈栄養源貯留槽から配管を通じて前記注入井戸の注入口に希釈した前記栄養源を注入する請求項５記載の汚染土壌及び地下水の浄化方法。
【請求項７】
所望の濃度に希釈した前記栄養源を容器に注入し、前記容器の前記栄養源を前記注入井戸の注入口より高所から注入する請求項４または５記載の汚染土壌及び地下水の浄化方法。
【請求項８】
前記注入管に形成する前記拡散孔の形成密度を下方では疎とする請求項１記載の汚染土壌及び地下水の浄化方法。
【請求項９】
前記注入管に形成する前記拡散孔を横長形状とした請求項１または８記載の汚染土壌及び地下水の浄化方法。
【請求項１０】
複数設けた前記注入井戸において、前記地下水の流れの下流側にある前記注入井戸から上流側にある前記注入井戸に向かう順で前記栄養源を注入する請求項１〜９のいずれか一項に記載の汚染土壌及び地下水の浄化方法。
【請求項１１】
隣接する前記注入井戸からの前記栄養源の拡散域が、それぞれの周囲で重なるように前記注入井戸を配置する請求項１または１０記載の汚染土壌及び地下水の浄化方法。
【請求項１２】
前記栄養源の拡散域の直径を７ｍから１５ｍとするとともに、隣接する前記注入井戸の間隔を５ｍから１０ｍとする請求項１１記載の汚染土壌及び地下水の浄化方法。
【請求項１３】
地下水の流れによって円形から変形する前記栄養源の拡散域の形状に合わせて前記注入井戸の配置を設定する請求項１１記載の汚染土壌及び地下水の浄化方法。
【請求項１４】
請求項１記載の汚染土壌及び地下水の浄化方法において前記注入井戸の近傍に形成されていた、前記栄養源に含まれる炭素濃度が前記微生物の活性促進条件濃度を超える残存汚染領域に対して、さらに希釈した前記栄養源を前記注入井戸から注入することによって、前記残存汚染領域の前記微生物の共代謝を促し、前記有機塩素系化合物を分解処理する汚染土壌及び地下水の浄化方法。
【請求項１５】
請求項１記載の汚染土壌及び地下水の浄化方法において前記注入井戸の近傍に形成されていた、前記栄養源に含まれる炭素濃度が前記微生物の活性促進条件濃度を超える残存汚染領域に対して、新たな注入井戸を設けて希釈した前記栄養源を注入することにより、前記残存汚染領域の前記微生物の共代謝を促し、前記有機塩素系化合物を分解処理する汚染土壌及び地下水の浄化方法。
【請求項１６】
請求項１記載の汚染土壌及び地下水の浄化方法において前記注入井戸の近傍に形成されていた、前記栄養源に含まれる炭素濃度が前記微生物の活性促進条件濃度を超える残存汚染領域に対して、隣接する注入井戸から注入圧力を上げて栄養源を注入して前記残存汚染領域まで拡散させることにより、前記残存汚染領域において前記栄養源に含まれる炭素濃度が前記微生物の活動条件濃度内に抑えられるようにして前記残存汚染領域の前記微生物の共代謝を促し、前記有機塩素系化合物を分解処理する汚染土壌及び地下水の浄化方法。
【発明の詳細な説明】
【技術分野】
【０００１】
この発明はバイオレメディエーション法を用いて微生物を活性化し、有機塩素系化合物で汚染された土壌及び地下水の浄化を促進して、汚染領域を原位置で短期間に浄化する汚染土壌及び地下水の浄化方法に関するものである。
【背景技術】
【０００２】
従来、土壌及び地下水の汚染の浄化設備とその浄化方法として、真空抽出法、揚水曝気法、石灰法、鉄粉法、土壌掘削置換法、土壌湿気式洗浄法、不溶化処理法、気・液混合井戸方法、エアースパージング方式、バイオレメディエーション法と、浄化に関して様々な方法が用いられるが、短期間で、土壌及び地下水の汚染の浄化ができる方法は、鉄粉法とバイオレメディエーション法である。
【０００３】
原位置での生物学的処理が可能で、炭素数が１０以上の脂肪酸、炭素数が１２以上のアルコール、炭素数が１４以上の直鎖状飽和脂肪酸と１価アルコールのエステル、炭素数が１４以上の直鎖状飽和脂肪酸と多価アルコールのエステル、炭素数が１６以上の脂肪酸とグリセリンのエステルなどを土壌中に埋設して、土壌や地下水の硝酸態窒素及び有機塩素系化合物を低減させる方法が知られている（例えば、特許文献１参照）。
【０００４】
炭素数が６以上の直鎖状飽和モノカルボン酸を主成分とし、特に粒径１００ｍｍ以内の粒子状に成形し、主に廃水処理に用いる脱窒素促進剤およびこの脱窒素促進剤を用いた水処理方法が知られている（例えば、特許文献２参照）。
【特許文献１】特開２００２−３７００８５号公報（第４〜１４頁、第１〜３図）
【特許文献２】特開２０００−３３４４９２号公報（第３〜９頁、第１〜４図）
【発明の開示】
【発明が解決しようとする課題】
【０００５】
しかしながら、このような従来の土壌及び地下水の汚染の浄化設備とその浄化方法では、鉄粉法は土壌を掘削してゼロ化鉄粉を注入する方法で、化学反応により短期間に土壌浄化するが、現状では汚染領域を絞って掘削する方法が主流のため、汚染領域全てを最適期間内に浄化することができなく、しかも高額な施工費用がかかる。
【０００６】
またバイオレメディエーション法は、環境に左右され最適期間内に浄化することができない場合もあり不安定である。
【０００７】
さらに浄化処理剤についても、従来の栄養源類では、（例えばポリ乳酸エステル）水に対する溶解度が高く、この場合供給した栄養源（の消費量）の地下水への溶出が早く（多く）、したがって頻繁に栄養源の追加（継続）投与が必要であった。また、炭素数が１０以上の脂肪酸は地下水への溶出が遅く、汚染部での最適量の溶出が管理できなく、地下水の流速が、例えば地下水が１日８センチも流れる場所では対応が難しく、地下水が年に数センチ程度の流れの場所での浄化に限られる。
【０００８】
したがって、地下水の流速が遅い場所での栄養源の過剰注入は、湖沼や内海などの閉鎖系水系等では、過剰栄養化によるプランクトン、藻、赤潮等の異常発生をまねく問題を生じることになり、管理システムの混乱・煩雑さをまねく等々の課題も派生することになる。ここに、浄化処理剤の溶解度が最適で、常時処理が安定し、メンテナンスが楽なものが切望されていた。
【０００９】
本発明は、このような従来の課題を解決するものであり、土壌や地下水中に生息する微生物を長期（常時）に安定して増殖・活性化させて、汚染の原位置浄化処理・管理を最適化し、かつ各浄化処理の設備・施設を簡略化した汚染土壌及び地下水の浄化方法を提供することを目的とする。
【００１０】
つまり、施工費用が比較的安いバイオレメディエーション法に注目し、特定の栄養源を選定した微生物処理によって原位置での土壌及び地下水の汚染の浄化を促進せしめ、汚染領域全体に拡散させることにより、汚染領域全てを最適期間内に安定して浄化することができる汚染土壌及び地下水の浄化方法を提供する。
【課題を解決するための手段】
【００１１】
上記目的を達成するために、本発明は栄養源を希釈し注入井戸に注入され、希釈されて微生物が摂取し易くなった前記栄養源と有機塩素系化合物の塩素とを、前記微生物が両方ともに摂取する、いわゆる共代謝することによって分解処理され、前記注入井戸が複数設けられ、複数の前記注入井戸からの前記栄養源の拡散域が汚染土壌及び地下水の領域を広く覆うとともに、前記栄養源の拡散域の臨界領域で前記栄養源に含まれる炭素濃度が前記微生物の活性促進条件となる濃度内に抑えられるように、複数の前記注入井戸の配置および前記栄養源の希釈度を定め、前記注入井戸が土壌を筒状に掘った穴と、前記穴と隙間を保ちながら前記穴内に挿入設置された注入管から構成され、前記注入管には回りの土壌の浸入を抑えながら、前記注入管内に注入された前記栄養源の拡散を促す拡散孔が形成され、前記穴および前記注入管は透水層に達し、前記注入管に形成する前記拡散孔を、少なくとも前記注入管の下部から、前記栄養源の注入により上昇する前記透水層の上面が達する高さまでの範囲で形成したものである。
【発明の効果】
【００１２】
本発明は、注入井戸に注入する栄養源を希釈することにより、栄養源が汚染領域に拡散し易くなる。しかも、希釈により栄養源自体の分解が促進し、微生物が摂取し易くなる。そのことにより、微生物が、汚染物質である有機塩素系化合物と栄養源の両方を共代謝し、有機塩素系化合物は浄化される。
【００１３】
そして、複数設けた注入井戸に注入された栄養源の複数の拡散域によって汚染土壌及び地下水の領域を広く覆うことで、汚染領域全体での微生物の活動を促進し、汚染領域の広い範囲において有機塩素系化合物は浄化される。
【００１４】
しかも、栄養源の拡散域の臨海領域において栄養源に含まれる炭素濃度が活動条件濃度内に抑えられることにより、栄養源の拡散域の中央の狭い領域では炭素濃度が高く微生物が活動し難いものの、その周りの広い領域では微生物が活動するため炭素濃度になるため、汚染領域の広い範囲において有機塩素系化合物は浄化される。
また、穴と隙間を保ちながら穴内に挿入設置された注入管を用いるとともに、注入管内に注入された栄養源の拡散を促す拡散孔が網の目状に形成されていることにより、本発明は栄養源が回りの土砂に阻まれることなく注入管の最下端まで届き、水平方向だけでなく、上下方向についても栄養源の拡散が所望の範囲に行える。
さらに、拡散孔を栄養源の注入により上昇する透水層の上面が達する高さまで形成することにより、栄養源の注入により透水層の上面が上昇しても、注入井戸近傍の地下水全体に栄養源が拡散するので、汚染土壌及び地下水の浄化が均質に行える。
【発明を実施するための最良の形態】
【００１５】
上記目的を達成するために本発明は、栄養源が希釈されて注入井戸に注入され、希釈されて微生物が摂取し易くなった栄養源の基質成分である炭素成分と有機塩素系化合物を、微生物が共代謝することによって有機塩素系化合物が分解（低分子化）処理され、注入井戸が複数設けられ、複数の注入井戸からの栄養源の拡散域が汚染土壌及び地下水の領域を広く覆うとともに、栄養源の拡散域の臨界領域で、栄養源に含まれる炭素濃度が微生物の活性促進条件となる濃度内に抑えられるように、複数の注入井戸の配置および栄養源の希釈度を定め、前記注入井戸が土壌を筒状に掘った穴と、前記穴と隙間を保ちながら前記穴内に挿入設置された注入管から構成され、前記注入管には回りの土壌の浸入を抑えながら、前記注入管内に注入された前記栄養源の拡散を促す拡散孔が形成され、前記穴および前記注入管は透水層に達し、前記注入管に形成する前記拡散孔を、少なくとも前記注入管の下部から、前記栄養源の注入により上昇する前記透水層の上面が達する高さまでの範囲で形成したものである。
【００１６】
本発明は、注入井戸に注入する栄養源を希釈することにより、栄養源が汚染領域に拡散し易くなる。しかも、希釈により栄養源自体の分解が促進し、微生物が摂取し易くなる。そのことにより、微生物が、汚染物質である有機塩素系化合物と栄養源の両方を共代謝し、有機塩素系化合物は浄化される。
【００１７】
そして、複数設けた注入井戸に注入された栄養源の複数の拡散域によって汚染土壌及び地下水の領域を広く覆うことで、汚染領域全体での微生物の活動を促進し、汚染領域の広い範囲において有機塩素系化合物は浄化される。
【００１８】
しかも、栄養源の拡散域の臨海領域において栄養源に含まれる炭素濃度が活動条件濃度内に抑えられることにより、栄養源の拡散域の中央の狭い領域では炭素濃度が高く微生物が活動が活発ではないが、その周りの広い領域で微生物が活動するため、汚染領域の広い範囲において有機塩素系化合物は浄化される。
また、穴と隙間を保ちながら穴内に挿入設置された注入管を用いるとともに、注入管内に注入された栄養源の拡散を促す拡散孔が網の目状に形成されていることにより、本発明は栄養源が回りの土砂に阻まれることなく注入管の最下端まで届き、水平方向だけでなく、上下方向についても栄養源の拡散が所望の範囲に行える。
そして、注入井戸から栄養源を注入すると注入井戸の近傍では、透水層の上面が上昇する。栄養源を注入する前の透水層の上面を上限として拡散孔を形成していると、栄養源を注入した際、透水層の上面が拡散孔の形成されていない高さまで上昇する。そのため、注入井戸の近傍に、栄養源をほとんど含まない地下水が存在することになり、汚染土壌及び地下水の浄化が均質に行えない。
そこで、拡散孔を栄養源の注入により上昇する透水層の上面が達する高さまで形成することにより、栄養源の注入により透水層の上面が上昇しても、注入井戸近傍の地下水全体に栄養源が拡散するので、汚染土壌及び地下水の浄化が均質に行える。

【００１９】
また、本発明は、栄養源が１００ｐｐｍから５０００ｐｐｍに希釈されているものであり（好ましくは２０００ｐｐｍ）、この栄養源の希釈度により栄養源が汚染領域に拡散し易くなるとともに、微生物が摂取し易くなる。その結果、微生物が、汚染物質である有機塩素系化合物と栄養源の両方を共代謝し、有機塩素系化合物は浄化される。
【００２０】
また、本発明は、ソルビドールを主成分とする液体状の栄養源としたものであり、この栄養源の採用により微生物の必須栄養素である炭素成分を多く含み、地下水との親水性もよく、原位置微生物が活性化し、有機塩素系化合物の浄化が推進される。
【００２１】
また、本発明は栄養源の注入方法として、栄養源に加わる重力を利用するものや、物理的（機械的）に加圧注入するものであり、この構成により、本発明は栄養源の注入時にエネルギー、動力を使い続ける必要がないので、エネルギー効率よく汚染土壌及び地下水の浄化が行える。
【００２２】
また、本発明は希釈した栄養源を貯留する希釈栄養源貯留槽を、注入井戸の注入口より高所に設け、その希釈栄養源貯留槽から配管を通じて注入井戸の注入口に希釈した栄養源を注入する構成により、本発明は栄養源の注入時にエネルギー、動力を多く使い続ける必要がないので、エネルギー効率よく汚染土壌及び地下水の浄化が行える。
【００２３】
また、本発明は、希釈した栄養源を容器（例えば、２０リットルの樹脂製タンク）に注入し、その容器を注入井戸の注入口に注入する構成により、汚染領域が狭く、希釈栄養源貯留槽を設けることができない場合も対応できる。
【００２９】
また、本発明は注入管に形成する拡散孔の形成密度を下方では疎とするものである。拡散孔を上下で均一に形成していると、重力により注入管の下方から拡散する栄養源の量が多くなり、注入管の上方と下方での栄養源の拡散量に差ができ、汚染土壌及び地下水の浄化が均質に行えない。
【００３０】
拡散孔の形成密度を下方で疎とすることにより、注入管の上方と下方での栄養源の拡散量を均一にすることが可能となり、汚染土壌及び地下水の浄化が均質に行える。
【００３１】
さらに、本発明は注入管に形成する拡散孔を横長形状としたものである。
【００３２】
拡散孔を小さくすると目詰まりし易く、円形状などで大きくすると注入管の外から土砂が注入管内に入って注入管内に堆積し栄養源の拡散に大きな障害となる。そして、拡散孔を縦長とすると、目詰まりを防止しながら拡散孔を通過する栄養源の量を確保できるが、栄養源の注入により注入管が水平方向に膨張すると縦長形状の拡散孔が横に広がり、土砂の流入が起こりえる。
【００３３】
これに対し、本発明は拡散孔を横長形状とすることにより、目詰まりを防止しながら拡散孔を通過する栄養源の量を確保できるとともに、栄養源の注入による注入管の水平方向の膨張によっても横長形状の拡散孔が縦に広がらないので、土砂の流入防止の機能も維持できる。
【００３４】
また、本発明は複数設けた注入井戸において、地下水の流れの下流側にある注入井戸から上流側にある注入井戸に向かう順で栄養源を注入するものである。
【００３５】
栄養源を注入井戸に注入すると、注入井戸の近傍で透水層の上面が上昇する。上面が上昇した箇所は、重力の関係で他の上面と同じ高さになろうとして、注入井戸の中心から周囲に向かって栄養源を含んだ地下水の拡散が生じる。
【００３６】
地下水の流れの上流側にある注入井戸から栄養源の注入を始めると、透水層の上面上昇に伴う地下水の拡散に加えて、地下水の流れがあるため、下流側に向かう地下水の拡散が早く、栄養源が留まる時間が短くなる可能性がある。
【００３７】
地下水の流れの下流側にある注入井戸から上流側にある注入井戸に向かう順で栄養源を注入することにより、上流側にある注入井戸から栄養源を注入する際には、その注入井戸の下流側にある注入井戸からの、地下水の上流側への拡散が近づいてくるので、上流側にある注入井戸からの、地下水の下流側への拡散速度が抑えられる。その結果、栄養源が留まる時間を長くすることができ、汚染領域全体に亘って汚染土壌及び地下水の浄化能力が向上する。
【００３８】
また、本発明は隣接する注入井戸からの栄養源の拡散域が、それぞれの周囲で重なるように注入井戸を配置するものである。
【００３９】
この構成により、汚染領域において栄養源の拡散が不十分な箇所を無くすとともに、拡散域内に長く栄養源留めることができるので、汚染領域全体に亘って汚染土壌及び地下水の浄化能力が向上する。
【００４０】
また、本発明は栄養源の拡散域の直径を７ｍ〜１５ｍとするとともに、隣接する注入井戸の間隔を５ｍ〜１０ｍとするものであり、この構成により、拡散域内に長く栄養源留めることができる（好ましくは、栄養源の拡散域の直径を８ｍとするとともに、隣接する注入井戸の間隔を１０ｍとする）ので、汚染領域全体に亘って汚染土壌及び地下水の浄化能力が向上する。
【００４１】
さらに、本発明は、地下水の流れによって円形から変形する栄養源の拡散域の形状に合わせて注入井戸の配置を設定するものである。
【００４２】
この構成により、地下水の流れに合わせて、拡散域内に長く栄養源留めることができるので、汚染領域全体に亘って汚染土壌及び地下水の浄化能力が向上する。
【００４３】
また、本発明は注入井戸の近傍に形成されていた、栄養源に含まれる炭素濃度が微生物の活性促進条件濃度を超える残存汚染領域に対して、さらに希釈した栄養源を注入井戸から注入することによって、残存汚染領域の微生物の共代謝を促し、有機塩素系化合物を分解処理するものである。
【００４４】
この構成により、注入井戸近傍においても微生物の活性促進条件が整い、注入井戸近傍における汚染土壌及び地下水の浄化が可能となる。
【００４５】
また、本発明は新たな注入井戸を設けて希釈した栄養源を注入することにより、残存汚染領域の微生物の共代謝を促し、有機塩素系化合物を分解処理するものである。
【００４６】
この構成により、注入井戸近傍においても微生物の活性促進条件が整い、注入井戸近傍における汚染土壌及び地下水の浄化が可能となる。
【００４７】
さらに、本発明は隣接する注入井戸から注入圧力を上げて栄養源を注入して残存汚染領域まで拡散させることにより、残存汚染領域において栄養源に含まれる炭素濃度が微生物の活動条件濃度内に抑えられるようにして残存汚染領域の微生物の共代謝を促し、有機塩素系化合物を分解処理するものである。
【００４８】
この構成により、注入井戸近傍においても微生物の活性促進条件が整い、注入井戸近傍における汚染土壌及び地下水の浄化が可能となる。
（実施の形態１）
以下、本発明の実施の形態１における汚染土壌及び地下水の浄化方法について図面とともに説明する。
【００４９】
図１は、汚染物質である有機塩素系化合物による土壌及び地下水の汚染状況を模式的に表した図である。
【００５０】
図１（ａ）は汚染状況を平面で表した図であり、図１（ｂ）は断面で表した図である。図１において汚染物質による汚染領域１は、地表面２では領域３に限られるが、土壌に染み込んだ汚染物質は地下水が流れる透水層４に達して、地下水の流れる方向である矢印Ａ方向に拡散し、結果として汚染領域１が広範囲に形成される。
【００５１】
なお、本実施の形態でも用いるバイオレメディエーション法は汚染物質である有機塩素系化合物の濃度が低濃度であることが前提である。また、微生物の活性を促進するためには栄養源内の炭素濃度が１００ｐｐｍ以下であることが好ましく、栄養源内の炭素濃度が高いと、微生物の活性を阻害することになる。
【００５２】
図２は、図１に示した汚染領域を成す有機塩素系化合物を分解する原位置での微生物を活性化させるための栄養源を、土壌及び地下水に供給する注入井戸を模式的に示した図である。
【００５３】
注入井戸５は、地表面２から土壌を筒状に掘った穴６と、穴６との隙間を保ちながら穴６の中に挿入設置された塩化ビニル製の注入管７の二重構造となっている。
【００５４】
穴６の直径は約１００ｍｍであり、注入管７の直径は約５０ｍｍであるので、大型の掘削機を必要とせず、小型の掘削機を汚染領域に運べば良いので、この点は汚染領域の場所を選ばずに浄化ができるという特長となる。
【００５５】
注入井戸５の下端は、透水層（図示せず）の下端にまで達し、透水層で広く拡散する汚染物質を分解するために、上下方向全てに渡って透水層への栄養源の供給を可能としている。なお、透水層の下端まで達する必要から、注入井戸の深さは、５ｍ〜３０ｍが必要となる。
【００５６】
注入井戸５に注入される栄養源は液状であり、注入管７上端の開口より注入管７内に供給される。注入管７の壁面には注入された液状の栄養源が注入井戸５の周りに拡散するように、液状の栄養源が通過する拡散孔（図示せず）が形成されている。
【００５７】
注入管７に形成される拡散孔は、液状の栄養源が通過するとともに、注入管７の周りからの土砂の流入を防止し、かつ注入管７の周りの土砂、あるいは注入管７内部の析出物による目詰まりを防止する必要がある。
【００５８】
そこで注入管７の壁面に直径１０ｍｍ程度のメッシュを形成したり、図３（ａ）に示す円形の拡散孔７ａを形成したりすることが考えられるが、図３（ｂ）に示す横長の拡散孔７ｂを形成した場合、拡散孔７ｂの一部が土砂などで塞がれても栄養源が流出する箇所が開いている可能性が高く、栄養源の拡散機能が長期に亘って安定したものとなる。
【００５９】
しかも栄養源の注入によって注入管７内部圧力が増しても横長の拡散孔７ｂは横方向に広がることはあっても、縦方向にほとんど広がらないので、注入管７の周りからの土砂の流入も防ぐことができる。なお、横長の拡散孔７ｂは例えば縦２ｍｍ、横２．５ｍｍで形成されている。
【００６０】
次に、注入管７の壁面に形成される拡散孔７ｂの形成方法について図４を用いて説明する。
【００６１】
汚染物質は透水層４で広く拡散しているため、透水層４への栄養源の供給は欠かせない。そのため、栄養源の供給は主に透水層４に行われる。そこで、拡散孔７ｂは注入管７の下部の透水層４に対向する箇所を中心に形成されることになる。
【００６２】
しかも、注入管７の下部に拡散孔７ｂを均一に形成すると、栄養源に掛かる重力のため栄養源が注入管７の下端に集中し、透水層４全体に栄養源を拡散することが難しくなるので、拡散孔７ｂの形成密度を注入管７の下方程疎にし、上方に従って拡散孔７ｂの形成密度を密とすることで、透水層４全体への栄養源の拡散を図っている。
【００６３】
また、拡散孔７ｂを透水層４の上面より上方にまで形成しているのは、栄養源の供給により透水層４を流れる地下水の水位が上昇することを考慮しているからである。
【００６４】
図５（ａ）に示すように栄養源を注入する前の透水層４の上面４ａを上限として拡散孔７ｂを形成していると、栄養源を注入した際、透水層４の上面４ａが注入井戸５の近傍で上昇面４ｂとなり、拡散孔７ｂの形成されていない高さまで上昇する。そのため、注入井戸５の近傍に、栄養源をほとんど含まない地下水４ｃが存在することになり、汚染土壌及び地下水の浄化が均質に行えない。
【００６５】
図５（ｂ）に示すように拡散孔７ｂを栄養源の注入により上昇する透水層４の上面４ａが達する高さである上昇面４ｂまで形成することにより、栄養源の注入により透水層４の上面４ａが上昇しても、注入井戸５の近傍の地下水全体に栄養源が拡散するので、汚染土壌及び地下水の浄化が均質に行える。
【００６６】
次に図６により、注入井戸５に供給する栄養源の注入工程を説明する。本実施の形態で用いる栄養源はソルビトールを主成分とする液体状の栄養源である。この栄養源の成分は、ソルビトール６０％、グリセリン１０％、陰イオン２％、水その他２８％であり、微生物の作用によって多くの水素を高い徐放性をもって発生させることを特徴とする。この微生物の作用によって発生した水素は、有機塩素系化合物と水素・塩素置換反応を起こし、有機塩素系化合物を浄化する。
【００６７】
ソルビトールを主成分とする液体状の栄養源は、微生物（日本全域に生息する嫌気性微生物としては、クロストリジウム属が挙げられる。）により、酢酸を経て二酸化炭素、メタンなどに分解される（ソルビトールは乳酸を経てピルビン酸に分解される。）。
【００６８】
本実施の形態では、この栄養源を原液から２度の工程を経て、２０００ｐｐｍまで希釈し、その希釈液を貯留タンクに貯えて注入井戸５に注入する。
【００６９】
図に示すように、１００Ｌのポリタンク８に貯えられたソルビトールを主成分とする液体状の栄養源の原液は、開閉弁９を介してポンプ１０によりポリタンク８から送り出され、ポンプ１１で送り込まれた地下水と共に、モータ１２によって攪拌される第１攪拌槽１３にて、まず１０％に希釈される。
【００７０】
この１３に貯えられた１０％希釈液は、開閉弁１４を介してポンプ１５により第１攪拌槽１３から送り出され、ポンプ１６で送り込まれた地下水と共に、モータ１７によって攪拌される第２攪拌槽１８にて、２０００ｐｐｍに希釈される。
【００７１】
なお、開閉弁１９は、ヘッダーで結ばれた他の攪拌槽（図示せず）からの通路にある開閉弁２０と共に、第２攪拌槽１８に送り込む希釈液を選択する機能を有する。
【００７２】
第２攪拌槽１８にて２０００ｐｐｍに希釈された栄養源は、開閉弁２１を介してポンプ２２により第２攪拌槽１８から、高所に設置された１ｍ３の貯留タンク２３に送られる。
【００７３】
貯留タンク２３に貯えられた希釈された栄養源は、開閉弁２４を介してポンプ２５にて流出量を２０Ｌ／ｍｉｎに制御されながら、注入井戸５に注入される。
【００７４】
ここで、希釈を２度の工程に分けているのは、希釈の精度を上げるためである。栄養源の原液を１度に２０００ｐｐｍまで希釈しようとすると、希釈度合いにばらつきが生じ、微生物の活動が安定しないという恐れがある。
【００７５】
また、貯留タンク２３を高所に設けたのは、注入井戸５からの栄養源の拡散を促進するためには、注入井戸５への栄養源の注入には圧を掛けた方が好ましく、貯留タンク２３を高所に設けることにより、重力を利用して注入する栄養源に圧を掛けることができる。そのため、栄養源の注入時にエネルギー、動力を多く使い続ける必要がないので、エネルギー効率が良い。
【００７６】
栄養源を２０００ｐｐｍに希釈したことにより、透水層４における栄養源の拡散速度が向上し、栄養源を汚染領域に十分に各線させることができる。しかも、この希釈により栄養源自体の分解が促進し、微生物が摂取し易い状態となる。その結果、微生物が汚染物質と栄養源の両方を共代謝することによって汚染物質の浄化が行われる。
【００７７】
先にも述べたように、微生物の活性を促進するためには、栄養源内の炭素濃度が１００ｐｐｍ以下であることが条件となる。図７に示すように２０００ｐｐｍに希釈したソルビトールを主成分とする液体状の栄養源を注入井戸５に注入すると、注入井戸５の近傍Ｂでは栄養源内の炭素濃度は４００〜６００ｐｐｍであり、注入井戸５の近傍では微生物の活性促進は期待できず、汚染物質の浄化も進み難い。
【００７８】
しかし、透水層で栄養源が拡散すると栄養源内の炭素濃度は段階的に下がり、栄養源の拡散域の臨海領域Ｃでは炭素濃度は１００ｐｐｍ以下となっており、微生物の活性促進が広範囲で行われることになり、汚染物質の浄化も注入井戸５の近傍Ｂを除く広範囲で行える。
【００７９】
なお、上記の例では、ソルビトールを主成分とする液体状の栄養源の希釈を２０００ｐｐｍとしたが、透水層の状態、浄化範囲の選択、注入井戸の設置密度等を考慮すれば、栄養源の希釈は２０００ｐｐｍに限られるものではなく、栄養源の希釈が１００ｐｐｍ〜５０００ｐｐｍの範囲であっても汚染物質の浄化効果は得られる。
【００８０】
また、上記の例では、希釈された栄養源を貯えた貯留タンク２３を高所に設置し、重力によって栄養源の注入を行っているが、ポンプ、コンプレッサ等によって物理的に圧力を加えて、地中に直接注入することも可能である。
【００８１】
図７では一つの注入井戸５における栄養源の拡散状態を模式的に示した。栄養源を注入井戸５に注入する際、ポンプなどを用いて注入圧力を増すことにより栄養源の拡散領域は広がるが、その拡散領域にも限界がある。
【００８２】
本実施の形態では、複数の注入井戸を設け、各注入井戸から注入される栄養源の拡散領域がその周辺で部分的に重なるようにして、汚染領域全体をカバーし、汚染領域の広い範囲で微生物の活性促進を図り、汚染領域を原位置で短期間に浄化することを目指す。
【００８３】
そこで、次に栄養源の拡散領域の配置、すなわち注入井戸の配置について図８を用いて説明する。
【００８４】
図８は、図１に示した汚染領域１全体を、複数の注入井戸５による栄養源の拡散領域２６でカバーしている状態を模式的に示した図である。注入井戸５はいずれも透水層４の下端まで形成され、透水層４に向って栄養源を拡散する。その栄養源の拡散領域２６は、栄養源の注入圧力を調整することにより、直径１０ｍ程度に設定されている。
【００８５】
また、隣接する注入井戸５の間隔を８ｍに設定していることにより、隣接する注入井戸５の栄養源の拡散領域２６は必ず重なり合うように設定されている。
【００８６】
これにより、汚染領域１全域において微生物を活性促進させる栄養源が行き渡り、かつ長く留まるので汚染領域１全域を原位置で短期間に浄化することができる。
【００８７】
なお、上記の例では栄養源の拡散領域２６を直径１０ｍ程度に設定し、隣接する注入井戸５の間隔を８ｍとしたが、栄養源の拡散領域２６および隣接する注入井戸５の間隔は、それだけに限定されるものではなく、栄養源の拡散領域２６を直径７〜１５ｍとするとともに、その拡散領域の直径に合わせて隣接する注入井戸５の間隔を５〜１０ｍとしても、同様の効果を得ることができる。
【００８８】
なお、複数ある注入井戸５に栄養源を注入する際、全ての注入井戸５に同時に栄養源を注入し、汚染領域１全域に短期間に栄養源を拡散させることも考えられるが、広範囲の汚染領域１に設けた全ての注入井戸５に同時に栄養源を注入するには、注入井戸５の数だけ図６に示した貯留タンク２３を始めとする注入用の機材が必要となり、その搬送、設置を考慮すると効率が悪い。
【００８９】
結果として、一つあるいは数個の注入井戸５毎に栄養源を注入することになる。その際、地下水の流れの下流側にある注入井戸から上流側にある注入井戸に向かう順で栄養源を注入するのが、汚染領域１の浄化として極めて有効である。このことについて図９、図１０を用いて説明する。
【００９０】
図９（ａ）に示すように、矢印Ａで示す地下水の流れの上流側にある注入井戸５Ａに栄養源を注入すると、注入井戸５Ａの近傍では透水層４の上面４ａが上昇する。そして、栄養源は注入井戸５Ａの周囲に拡散していくが（拡散領域Ｖ）、地下水の流れにより、どうしても栄養源は矢印Ａ方向に流れ、注入井戸５Ａの周りの汚染領域に栄養源が長く留まらない。
【００９１】
そして、図９（ｂ）に示すように、その後注入井戸５Ａより下流側の注入井戸５Ｂに栄養源を注入すると、注入井戸５Ｂの近傍においても透水層４の上面が上昇し、注入井戸５Ｂの周囲に向かって栄養源は拡散しようとするが（拡散領域Ｗ）、注入井戸５Ａの近傍の透水層４の上面４ａの上昇により、地下水の上流側、すなわち注入井戸５Ａ側に向かう、注入井戸５Ｂに注入された栄養源の拡散が抑制される。
【００９２】
このような現象が、各注入井戸５Ａ〜５Ｃにおいて発生するため、汚染領域１全域において栄養源の拡散が、地下水の流れる方向である矢印Ａ側に偏る傾向となり、汚染領域１の全域を浄化するためには不都合な現象となる。
【００９３】
これに対して、図１０（ａ）に示すように、矢印Ａで示す地下水の流れの下流側にある注入井戸５Ｃに栄養源を注入すると、注入井戸５Ｃの近傍では透水層４の上面４ａが上昇する。注入井戸５Ｃに注入された栄養源も、地下水の流れにより矢印Ａ側に拡散する傾向にはあるものの、注入井戸５Ｃの上流側にある注入井戸５Ｂへの栄養源注入が行われていないことから、注入井戸５Ｂ近傍の透水層４の上面４ａが上昇していないので、注入井戸５Ｃに注入された栄養源は地下水の流れの上流側にも十分拡散していく（拡散領域Ｘ）。
【００９４】
その後、図１０（ｂ）に示すように注入井戸５Ｂに栄養源を注入すると、注入井戸５Ｃの近傍の透水層４の上面４ａの上昇により、地下水の下流側、すなわち注入井戸５Ｃ側に向かう、注入井戸５Ｂに注入された栄養源の拡散を抑制され、注入井戸５Ｂに注入された栄養源は地下水の流れに抗して注入井戸５Ｂの周囲に長く留まることになり（拡散領域Ｙ）、注入井戸５Ｂの周りの汚染領域の浄化が効率よく行える。
【００９５】
このような現象が、各注入井戸５Ａ〜５Ｃにおいて発生するため、汚染領域１全域において栄養源の拡散が、地下水の流れに抗して上流側にも十分行われるため、汚染領域１全域において汚染物質の浄化が効率よく行える。
（実施の形態２）
栄養源を２０００ｐｐｍに希釈したことにより、透水層４における栄養源の拡散速度が向上するため、図８に示したようにその拡散領域２６は、矢印Ａで示した地下水の流れにほとんど影響されることがなく、上方から見れば円形になる。そして、図８に示す注入井戸５は、隣接する３つの注入井戸５が正三角形となるように配置されている。
【００９６】
しかし、地下水の流れが極端に早い場合、注入井戸５の配置において栄養源の拡散領域が変形することを考慮しなければならない。
【００９７】
図９は矢印Ａ方向に流れる地下水の流れが早い場合の注入井戸５の配置を模式的に示したものである。注入井戸５に注入された栄養源の拡散領域２７は地下水の流れに影響を受けて、地下水の下流側に伸びた楕円形、あるいは雫形になる。
【００９８】
そのため、矢印Ａ方向については、注入井戸５の間隔を図８の場合より離すことが可能であるが、栄養源の拡散領域２７によって汚染領域１を全てカバーする必要から、矢印Ａ方向に垂直な方向については、注入井戸５の間隔は図８の場合より短くする必要がある。
【００９９】
このように、汚染領域１の状況に応じて最適な注入井戸５の配置を決める必要がある。
【０１００】
なお、本実施の形態２においても、矢印Ａで示す地下水の流れの下流側にある注入井戸から上流側にある注入井戸に向かう順で栄養源を注入することが好ましい。
【０１０１】
なぜなら、地下水の流れの上流から栄養源を注入すれば、栄養源が下流側に流れ、下流側に注入井戸に栄養源を注入する際に、栄養源の炭素濃度の影響を受け、栄養源を汚染領域に均一な炭素濃度になるように拡散しにくい。
【０１０２】
なお、上記実施の形態ではソルビトールを主成分とする液体状の栄養源としたが、同様の機能を有する栄養源であれば同様の作用効果が得られる。
【０１０３】
また、上記実施の形態では微生物として日本全土に生息するクロストリジウム属を挙げたが、土地によって異なる微生物が生息するため、他の微生物を利用しても良い。
（実施の形態３）
本実施の形態１または２により、汚染領域全域に亘って浄化が行われるが、図７に示した注入井戸５の近傍Ｂの浄化が必要となる。近傍Ｂは、栄養源内の炭素濃度が１００ｐｐｍより高かったことにより、微生物の活性促進が十分行えなかってことに起因する。
【０１０４】
そこで、注入井戸５の近傍Ｂにおいて微生物の活性を促進するように以下に説明する（１）〜（３）のいずれかの方法を採用し、注入井戸５の近傍Ｂの汚染物質を浄化する。
【０１０５】
（１）さらに希釈した栄養源を注入井戸５から注入することによって、残存汚染領域である近傍Ｂの微生物の共代謝を促し、汚染物質である有機塩素系化合物を分解処理する。
【０１０６】
（２）新たな注入井戸を設けて希釈した栄養源を注入することにより、残存汚染領域である近傍Ｂの微生物の共代謝を促し、汚染物質である有機塩素系化合物を分解処理する。
【０１０７】
（３）隣接する注入井戸から注入圧力を上げて栄養源を注入して残存汚染領域まで拡散させることにより、残存汚染領域である近傍Ｂの微生物の共代謝を促し、汚染物質である有機塩素系化合物を分解処理する。なお、栄養源の注入圧力を上げるにはポンプ、コンプレッサなどを用いれば良い。
【産業上の利用可能性】
【０１０８】
本発明の汚染土壌及び地下水の浄化方法を用いることにより、有機塩素系化合物による汚染領域全てにおいて、微生物を十分活性促進させることができ、汚染領域を原位置で短期間に浄化することができる。
【図面の簡単な説明】
【０１０９】
【図１】本発明の実施の形態１における汚染土壌及び地下水の浄化方法が対象とする汚染領域を示す模式図
【図２】同浄化方法に用いる注入井戸を示す模式図
【図３】同浄化方法に用いる注入井戸の注入管に形成する拡散孔を示す正面図
【図４】同浄化方法に用いる注入井戸の注入管に形成する拡散孔の形成密度を示した模式図
【図５】同浄化方法に用いる注入井戸の注入管に形成する拡散孔の形成位置を説明するための断面模式図
【図６】同浄化方法に用いる栄養源の希釈工程を示す模式図
【図７】同浄化方法に用いる注入井戸からの栄養源の拡散状況を示す平面模式図
【図８】同浄化方法に用いる注入井戸の配置を示す模式図
【図９】同浄化方法に用いる注入井戸への栄養源の注入順序を説明するための断面模式図
【図１０】同浄化方法に用いる注入井戸への栄養源の注入順序を説明するための断面模式図
【図１１】本発明の実施の形態２における汚染土壌及び地下水の浄化方法に用いる注入井戸の配置を示す模式図
【符号の説明】
【０１１０】
１    汚染領域
２    地表面
３    領域
４    透水層
５、５Ａ、５Ｂ、５Ｃ    注入井戸
６    穴
７    注入管
７ａ、７ｂ    拡散孔
８    ポリタンク
９、１４、１９、２０、２１、２４    開閉弁
１０、１１、１５、１６、２２、２５    ポンプ
１２、１７    モータ
１３    第１攪拌槽
１８    第２攪拌槽
２３    貯留タンク
２６、２７    拡散領域
【図１】
0005023850.tif 000002
【図２】
0005023850.tif 000003
【図３】
0005023850.tif 000004
【図４】
0005023850.tif 000005
【図５】
0005023850.tif 000006
【図６】
0005023850.tif 000007
【図７】
0005023850.tif 000008
【図８】
0005023850.tif 000009
【図９】
0005023850.tif 000010
【図１０】
0005023850.tif 000011
【図１１】
0005023850.tif 000012